(57)【要約】【課題】  通常の枕は硬さや、柔さと、睡眠時、熱がこもる等の問題があり、頭寒足熱の語のとおり、頭を冷やし、足を暖かくする方が安眠しやすい。とろこで、水枕は袋の中の流動性がありすぎ、安定感がなかった。【解決手段】そこで、安定感を増すように、水まくらの中に低反発ウレタン樹脂と空気袋を挿入し、適度な柔らかさと冷たさ、フットト感を得た、安眠枕を発明した。【選択図】  図１
2009106642.tif 000002
【特許請求の範囲】
【請求項１】
水まくらの中に低反発ウレタン樹脂と空気袋を挿入することを特徴とする安眠まくら。
【請求項２】
空気袋の上に、水を含ませたウレタン樹脂をのせたことを特徴とする請求項1に記載の安眠まくら。
【発明の詳細な説明】
【技術分野】
【０００１】
本発明は、水まくらの中に低反発ウレタン樹脂と空気袋を挿入することを特徴とする安眠まくらに関するものである。
【背景技術】
【０００２】
通常の枕は、硬さや、放熱に問題があり、頭寒足熱の語のとおり、頭を冷やし、足を暖かくする方が安眠しやすい。とろこで、従来の水枕は小さく、流動性があり、安定感がなかった。
【特許文献１】特許第３６３０４２０号公報
【発明の開示】
【発明が解決しようとする課題】
【０００３】
上述のように、通常の枕は硬軟に問題があり、頭にフィットすれば、放熱せず、また柔らかい低反発まくらは頭を包み込むと、熱かった。さして水枕には流動制があり、安定感がなかった。
【課題を解決するための手段】
【０００４】
そこで、水枕の特徴の冷やしを活かし、安定感を増すように、水まくらの中に低反発ウレタン樹脂と空気袋を挿入し、適度な柔らかさと冷たさ、フットト感がある安眠枕を発明した。
水まくらの中に低反発ウレタン樹脂と空気袋を挿入することにより、安定感が増す。低反発ウレタン樹脂は安価であり、低価格で本発明安眠まくらを提供できる。従来から、頭を冷やして寝ることにより、十分な深い睡眠が得られ、健康に良いなどの効果がある。低反発ウレタン樹脂は押さえると水を吐き出し、応力を除くと元の形状に戻る性質を持っている。この作用により、頭によくフィットする。
低反発のウレタン樹脂はいわゆる発砲ウレタンであり、応力に応じて変形し、水を吸い、また吐き出す。
空気袋は、一体物でもよく、棒状の空気袋を並べて、多数いれても良い。空気袋は空気の低反発ウレタン樹脂を浮かせ、応力に応じて変形する。その効果を倍増するため、水枕は従来のものより、約2倍の大きさにする。（たて43センチ、頭の大きさ  横63センチ、肩幅位）これにより、ゴムの弾力を有効に得ることが出来、当発明の利点を倍化発揮できる。
【発明の効果】
【０００５】
水まくらの中に低反発ウレタン樹脂と空気袋を挿入することにより、安定感が増す。低反発ウレタン樹脂は安価であり、低価格で本発明まくらを提供できる。従来から、頭を冷やして寝ることにより、十分な深い睡眠が得られ、健康に良いなどの効果がある。低反発ウレタン樹脂は押さえると水を吐き出し、応力を除くと元の形状に戻る性質を持っている。この作用の助成ため、空気袋を低反発ウレタン樹脂の下部に挿入することにより、やさしく頭によくフィットする。
安眠枕は、低反発ウレタン樹脂と、空気袋の相乗効果で、水枕のだぶだぶ、流動する水流を制御し、静けさを得ることが出来る。しかも水枕の冷やす効果は活かせ、やさしく頭にフィット出来るのは、低反発ウレタン樹脂と、水と空気袋の、相まみえる働きによる発明である。
【０００６】
図3はドーナツ型枕（座布団）
以前からある  ドーナツ型枕は、おもに  空気枕であった。空気枕は、荷重を支える時安定感がないのが、欠点だった。  当発明はドーナツ型枕内に、低反発ウレタン樹脂をセットし、水を含ませ、下部には空気袋を挿入し、ゴム袋で包み込む一体型構造なので、荷重を支える時の安定感を得ることが出来る。しかも当発明は  低反発スチロール樹脂に水を含ませる構造なので、温度上昇を抑えることが出来る。この特徴を利用することで、車の運転時、安定と、腰に負担する疲れを軽減し（腰の圧迫による熱を取る作用をする。）長距離安全運転にも、寄与でき、痔病や、産後の妊婦の体調を守る（腰にかかる重力を、分散して支えるため）有益な効果を  得ることが出来る。
【０００７】
図５は、    安眠ウオーターベット
当発明の、安眠枕の応用で、近年介護問題において求められている、床ずれのしない健康寝具  安眠ウオーターベットが、簡単、軽量、安価で、実現できる。
ベット型のゴム袋の中に、上部に低反発ウレタン樹脂その下部に空気袋を挿入し、水を含ませる簡単な構造で、睡眠時の体重を、均一に分散し  低反発ウレタン樹脂と、空気袋の相乗効果の働きで、体全体をやさしく、フイットして包み込み、床ずれを防ぎ、寝返りを、容易に出来る構造を得ることが出来る。又体温に欠かせない、温度管理は、温度調節電熱器に於いて、体の部所の温度変化も、簡単に行える。
【０００８】
図７自転車用水サドルカーバー
当発明の、安眠枕の応用で、遠乗りのサイクリング時に、お尻が痛くなり、困った。
小石や、がたがた道のときは、特に苦痛であった。自転車用水サドルカーバーは、ゴム袋に、低反発ウレタン樹脂をセットし、水を含ませ、下部には空気袋を挿入し、ゴム袋で包み込む一体型構造なので、荷重を支える時の安定感を得ることが出来る。しかも当発明は  低反発スチロール樹脂に水を含ませる構造なので、温度上昇を抑えることが出来る。この特徴を利用することで、自転車の走行時、安定と、腰に負担する疲れを軽減し（腰の圧迫による熱を取る作用をする。）長距離サイクリングにも、寄与でき、痔病や、産後の妊婦の体調を守る（腰にかかる重力を、分散して支えるため）有益な効果を  得ることが出来る。
【発明を実施するための最良の形態】
【０００９】
水まくらの中の上層部に水を含む低反発ウレタン樹脂、下層部に空気袋を挿入することにより（アルキメデスの法則の原理における、体積と流体の移動による作用で）頭を急冷し、安定感のあるまくらとなる。
【実施例】
【００１０】
以下、添付図面に従って一実地例を説明する。１は安眠まくらである。２はゴム袋、３は低反発ウレタン樹脂、４は空気袋である。低反発ウレタン樹脂３には水を含ませ、すべてを、ゴム袋で包み込む  一体型を特徴とする安眠枕。
【図面の簡単な説明】
【００１１】
【図１】本発明の安眠枕を示す正面図である。
【図２】本発明の安眠枕を示す断面図である。
【図３】ドーナツ型枕（座布団）を示す正面図である。
【図４】ドーナツ型枕（座布団）を示す断面図である。
【図５】安眠ウオーターベットを示す正面図である。
【図６】安眠ウオーターベットを示す断面図である。
【図７】自転車用水サドルカーバーを示す正面図である。
【図８】自転車用サドルカーバーを示す断面図である。
【符号の説明】
【００１２】
１  安眠まくら本体
２  ゴム袋
３  低反発ウレタン樹脂
４  空気袋
５  温度調整電熱器
６  定設置孔
【図１】
2009106642.tif 000003
【図２】
2009106642.tif 000004
【図３】
2009106642.tif 000005
【図４】
2009106642.tif 000006
【図５】
2009106642.tif 000007
【図６】
2009106642.tif 000008
【図７】
2009106642.tif 000009
【図８】
2009106642.tif 000010